【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
送信時間間隔（ＴＴＩ）中のトランスポートブロック中の送信のための第１のコードブロッククラスタ（ＣＢＣ）の第１の冗長バージョンを識別することと、
前記ＴＴＩ中の前記トランスポートブロック中の送信のための第２のＣＢＣの第２の冗長バージョンを識別すること、ここにおいて、前記第２のＣＢＣの前記第２の冗長バージョンを識別することは、前に送信されたトランスポートブロックの前記第２のＣＢＣのための第１の冗長バージョンについて受信された否定応答（ＮＡＣＫ）に少なくとも部分的に基づき、前記第２のＣＢＣは、前記前に送信されたトランスポートブロックの一部分である、と、
前記ＴＴＩ中に前記第１のＣＢＣの前記第１の冗長バージョンと前記第２のＣＢＣの前記第２の冗長バージョンとを備える前記トランスポートブロックを送信することと
を備える、ワイヤレスデバイスにおける通信の方法。
【請求項２】
前記トランスポートブロック中の新規データに対応する第３のＣＢＣを識別することをさらに備える、
請求項１に記載の方法。
【請求項３】
冗長バージョンセグメントのセットに少なくとも部分的に基づいて前記トランスポートブロックを構成することをさらに備え、前記セットの各冗長バージョンセグメントは、同じ冗長バージョンを有するＣＢＣのサブセットを備える、
請求項１に記載の方法。
【請求項４】
どの冗長バージョンセグメントが前記トランスポートブロック中に含まれるのかのインジケーションを備える前記ＴＴＩのための制御メッセージを送信することをさらに備える、
請求項３に記載の方法。
【請求項５】
前記ＴＴＩのための前記制御メッセージは、前記トランスポートブロック中に含まれる各ＣＢＣに関連する冗長バージョンのインジケーションを備える、
請求項４に記載の方法。
【請求項６】
前記制御メッセージは、肯定応答（ＡＣＫ）／ＮＡＣＫ失敗インジケータをさらに備える、
請求項４に記載の方法。
【請求項７】
ＡＣＫまたはＮＡＣＫが、送信されたＣＢＣについて受信されたかどうかを決定することをさらに備え、前記ＡＣＫ／ＮＡＣＫ失敗インジケータは、前記ＡＣＫまたはＮＡＣＫが受信されたかどうかの前記決定に少なくとも部分的に基づく、
請求項６に記載の方法。
【請求項８】
送信されたＣＢＣのセットに対応するハイブリッド自動再送要求（ＨＡＲＱ）状態情報を記憶することをさらに備える、
請求項１に記載の方法。
【請求項９】
送信されたＣＢＣの前記セットについてＡＣＫ／ＮＡＣＫ応答を受信することと、
前記ＡＣＫ／ＮＡＣＫ応答に少なくとも部分的に基づいて前記ＨＡＲＱ状態情報を更新することと
をさらに備える、請求項８に記載の方法。
【請求項１０】
ＡＣＫ／ＮＡＣＫ応答が、送信されたＣＢＣの前記セットについて受信されていないと決定することと、
前記ＡＣＫ／ＮＡＣＫ応答が受信されていないという前記決定に少なくとも部分的に基づいて、前記ＨＡＲＱ状態情報を更新することを控えることと
をさらに備える、請求項８に記載の方法。
【請求項１１】
送信時間間隔（ＴＴＩ）中のトランスポートブロック中の受信のための第１のコードブロッククラスタ（ＣＢＣ）の第１の冗長バージョンを識別することと、
前記ＴＴＩ中の前記トランスポートブロック中の受信のための第２のＣＢＣの第２の冗長バージョンを識別すること、ここにおいて、前記第２のＣＢＣの前記第２の冗長バージョンを識別することは、前に受信されたトランスポートブロックの前記第２のＣＢＣのための第１の冗長バージョンについて送信された否定応答（ＮＡＣＫ）に少なくとも部分的に基づき、前記第２のＣＢＣは、前記前に受信されたトランスポートブロックの一部分である、と、
前記ＴＴＩ中に前記第１のＣＢＣの前記第１の冗長バージョンと前記第２のＣＢＣの前記第２の冗長バージョンとを備える前記トランスポートブロックを受信することと
を備える、ワイヤレスデバイスにおける通信の方法。
【請求項１２】
前記トランスポートブロック中の新規データに対応する第３のＣＢＣを識別することをさらに備える、
請求項１１に記載の方法。
【請求項１３】
前記トランスポートブロックは、冗長バージョンセグメントのセットに少なくとも部分的に基づき、前記セットの各冗長バージョンセグメントは、同じ冗長バージョンを有する１つまたは複数のＣＢＣを備える、
請求項１１に記載の方法。
【請求項１４】
どの冗長バージョンセグメントが前記トランスポートブロック中に含まれるのかのインジケーションを備える前記ＴＴＩのための制御メッセージを受信することをさらに備える、
請求項１３に記載の方法。
【請求項１５】
前記制御メッセージは、肯定応答（ＡＣＫ）／ＮＡＣＫ失敗インジケータをさらに備える、
請求項１４に記載の方法。
【請求項１６】
受信されたＣＢＣのセットに対応するハイブリッド自動再送要求（ＨＡＲＱ）状態情報を記憶することをさらに備える、
請求項１１に記載の方法。
【請求項１７】
受信されたＣＢＣの前記セットのうちの１つまたは複数に関連する巡回冗長検査（ＣＲＣ）を処理することに少なくとも部分的に基づいて前記ＨＡＲＱ状態情報を更新することをさらに備える、
請求項１６に記載の方法。
【請求項１８】
プロセッサと、
前記プロセッサと電子通信しているメモリと、
前記メモリに記憶された命令と
を備え、前記命令は、
送信時間間隔（ＴＴＩ）中のトランスポートブロック中の送信のための第１のコードブロッククラスタ（ＣＢＣ）の第１の冗長バージョンを識別することと、
前記ＴＴＩ中の前記トランスポートブロック中の送信のための第２のＣＢＣの第２の冗長バージョンを識別すること、ここにおいて、前記第２のＣＢＣの前記第２の冗長バージョンを識別することは、前に送信されたトランスポートブロックの前記第２のＣＢＣのための第１の冗長バージョンについて受信された否定応答（ＮＡＣＫ）に少なくとも部分的に基づき、前記第２のＣＢＣは、前記前に送信されたトランスポートブロックの一部分である、と、
前記ＴＴＩ中に前記第１のＣＢＣの前記第１の冗長バージョンと前記第２のＣＢＣの前記第２の冗長バージョンとを備える前記トランスポートブロックを送信することと
を行うために前記プロセッサによって実行可能である、ワイヤレスデバイスにおける通信のための装置。
【請求項１９】
前記命令は、
前記トランスポートブロック中の新規データに対応する第３のＣＢＣを識別することを行うために前記プロセッサによって実行可能である、
請求項１８に記載の装置。
【請求項２０】
前記命令は、
冗長バージョンセグメントのセットに少なくとも部分的に基づいて前記トランスポートブロックを構成することを行うために前記プロセッサによって実行可能であり、前記セットの各冗長バージョンセグメントは、同じ冗長バージョンを有するＣＢＣのサブセットを備える、
請求項１８に記載の装置。
【請求項２１】
前記命令は、
どの冗長バージョンセグメントが前記トランスポートブロック中に含まれるのかのインジケーションを備える前記ＴＴＩのための制御メッセージを送信することを行うために前記プロセッサによって実行可能である、
請求項２０に記載の装置。
【請求項２２】
前記ＴＴＩのための前記制御メッセージは、前記トランスポートブロック中に含まれる各ＣＢＣに関連する冗長バージョンのインジケーションを備える、
請求項２１に記載の装置。
【請求項２３】
前記インジケーションは、冗長バージョンセグメントの組合せに対応する４ビットを備える、
請求項２１に記載の装置。
【請求項２４】
前記制御メッセージは、肯定応答（ＡＣＫ）／ＮＡＣＫ失敗インジケータをさらに備える、
請求項２１に記載の装置。
【請求項２５】
前記命令は、
ＡＣＫまたはＮＡＣＫが、送信されたＣＢＣについて受信されたかどうかを決定することを行うために前記プロセッサによって実行可能であり、前記ＡＣＫ／ＮＡＣＫ失敗インジケータは、前記ＡＣＫまたはＮＡＣＫが受信されたかどうかの前記決定に少なくとも部分的に基づく、
請求項２４に記載の装置。
【請求項２６】
前記命令は、
送信されたＣＢＣのセットに対応するハイブリッド自動再送要求（ＨＡＲＱ）状態を記憶することを行うために前記プロセッサによって実行可能である、
請求項１８に記載の装置。
【請求項２７】
プロセッサと、
前記プロセッサと電子通信しているメモリと、
前記メモリに記憶された命令と
を備え、前記命令は、
送信時間間隔（ＴＴＩ）中のトランスポートブロック中の受信のための第１のコードブロッククラスタ（ＣＢＣ）の第１の冗長バージョンを識別することと、
前記ＴＴＩ中の前記トランスポートブロック中の受信のための第２のＣＢＣの第２の冗長バージョンを識別すること、ここにおいて、前記第２のＣＢＣの前記第２の冗長バージョンを識別することは、前に受信されたトランスポートブロックの前記第２のＣＢＣのための第１の冗長バージョンについて送信された否定応答（ＮＡＣＫ）に少なくとも部分的に基づき、前記第２のＣＢＣは、前記前に受信されたトランスポートブロックの一部分である、と、
前記ＴＴＩ中に前記第１のＣＢＣの前記第１の冗長バージョンと前記第２のＣＢＣの前記第２の冗長バージョンとを備える前記トランスポートブロックを受信することと
を行うために前記プロセッサによって実行可能である、ワイヤレスデバイスにおける通信のための装置。
【請求項２８】
前記命令は、
前記トランスポートブロック中の新規データに対応する第３のＣＢＣを識別することを行うために前記プロセッサによって実行可能である、
請求項２７に記載の装置。
【請求項２９】
前記トランスポートブロックは、冗長バージョンセグメントのセットに少なくとも部分的に基づき、前記セットの各冗長バージョンセグメントは、同じ冗長バージョンを有する１つまたは複数のＣＢＣを備える、
請求項２７に記載の装置。
【請求項３０】
前記命令は、
どの冗長バージョンセグメントが前記トランスポートブロック中に含まれるのかのインジケーションを備える前記ＴＴＩのための制御メッセージを受信することを行うために前記プロセッサによって実行可能である、
請求項２９に記載の装置。
【手続補正２】
【補正対象書類名】明細書
【補正対象項目名】０１３９
【補正方法】変更
【補正の内容】
【０１３９】
[0154]本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムなど、様々なワイヤレス通信システムのために使用され得る。「システム」および「ネットワーク」という用語はしばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標）：Wideband CDMA）およびＣＤＭＡの他の変形態を含む。ＴＤＭＡシステムは、モバイル通信用グローバルシステム（ＧＳＭ（登録商標）：Global System for Mobile Communications）などの無線技術を実装し得る。ＯＦＤＭＡシステムは、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションズシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションズシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上記のシステムおよび無線技術、ならびに他のシステムおよび無線技術のために使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
［Ｃ１］
送信時間間隔（ＴＴＩ）中の送信のための第１のコードブロッククラスタ（ＣＢＣ）の冗長バージョンを識別することと、
前記ＴＴＩ中の送信のための第２のＣＢＣのバージョンを識別することと、
前記ＴＴＩ中に前記第１のＣＢＣの前記冗長バージョンと前記第２のＣＢＣの前記バージョンとを備えるトランスポートブロックを送信することと
を備える、ワイヤレスデバイスにおける通信の方法。
［Ｃ２］
前記ＴＴＩ中に送信される前記第２のＣＢＣの前記バージョンは、前記第２のＣＢＣの冗長バージョンまたは新規バージョンを備える、
Ｃ１に記載の方法。
［Ｃ３］
冗長バージョンセグメントのセットに少なくとも部分的に基づいて前記トランスポートブロックを構成することをさらに備え、前記セットの各冗長バージョンセグメントは、同じ冗長バージョンを有するＣＢＣのサブセットを備える、
Ｃ１に記載の方法。
［Ｃ４］
どの冗長バージョンセグメントが前記トランスポートブロック中に含まれるのかのインジケーションを備える前記ＴＴＩのための制御メッセージを送信することをさらに備える、
Ｃ３に記載の方法。
［Ｃ５］
前記ＴＴＩのための前記制御メッセージは、前記トランスポートブロック中に含まれる各ＣＢＣに関連する冗長バージョンのインジケーションを備える、
Ｃ４に記載の方法。
［Ｃ６］
前記制御メッセージが肯定応答（ＡＣＫ）／否定応答（ＮＡＣＫ）失敗インジケータをさらに備える、
Ｃ４に記載の方法。
［Ｃ７］
ＡＣＫまたはＮＡＣＫが、送信されたＣＢＣについて受信されたかどうかを決定することをさらに備え、前記ＡＣＫ／ＮＡＣＫ失敗インジケータは、前記ＡＣＫまたはＮＡＣＫが受信されたかどうかの前記決定に少なくとも部分的に基づく、
Ｃ６に記載の方法。
［Ｃ８］
送信されたＣＢＣのセットに対応するハイブリッド自動再送要求（ＨＡＲＱ）状態を記憶することをさらに備える、
Ｃ１に記載の方法。
［Ｃ９］
送信されたＣＢＣの前記セットについてＡＣＫ／ＮＡＣＫ応答を受信することと、
前記ＡＣＫ／ＮＡＣＫ応答に少なくとも部分的に基づいて前記ＨＡＲＱ状態を更新することと
をさらに備える、Ｃ８に記載の方法。
［Ｃ１０］
ＡＣＫ／ＮＡＣＫ応答が、送信されたＣＢＣの前記セットについて受信されていないと決定することと、
前記ＡＣＫ／ＮＡＣＫ応答が受信されていないという前記決定に少なくとも部分的に基づいて、前記ＨＡＲＱ状態を更新することを控えることと
をさらに備える、Ｃ８に記載の方法。
［Ｃ１１］
送信時間間隔（ＴＴＩ）中の受信のための第１のコードブロッククラスタ（ＣＢＣ）の冗長バージョンを識別することと、
前記ＴＴＩ中の受信のための第２のＣＢＣのバージョンを識別することと、
前記ＴＴＩ中に前記第１のＣＢＣの前記冗長バージョンと前記第２のＣＢＣの前記バージョンとを備えるトランスポートブロックを受信することと
を備える、ワイヤレスデバイスにおける通信の方法。
［Ｃ１２］
前記ＴＴＩ中に送信される前記第２のＣＢＣの前記バージョンが、前記第２のＣＢＣの冗長バージョンまたは新規バージョンを備える、Ｃ１１に記載の方法。
［Ｃ１３］
前記トランスポートブロックは、冗長バージョンセグメントのセットに少なくとも部分的に基づき、前記セットの各冗長バージョンセグメントは、同じ冗長バージョンを有する１つまたは複数のＣＢＣを備える、
Ｃ１１に記載の方法。
［Ｃ１４］
どの冗長バージョンセグメントが前記トランスポートブロック中に含まれるのかのインジケーションを備える前記ＴＴＩのための制御メッセージを受信することをさらに備える、
Ｃ１３に記載の方法。
［Ｃ１５］
前記制御メッセージは、肯定応答（ＡＣＫ）／否定応答（ＮＡＣＫ）失敗インジケータをさらに備える、
Ｃ１４に記載の方法。
［Ｃ１６］
受信されたＣＢＣのセットに対応するハイブリッド自動再送要求（ＨＡＲＱ）状態を記憶することをさらに備える、
Ｃ１１に記載の方法。
［Ｃ１７］
受信されたＣＢＣの前記セットのうちの１つまたは複数に関連する巡回冗長検査（ＣＲＣ）を処理することに少なくとも部分的に基づいて前記ＨＡＲＱ状態を更新することをさらに備える、
Ｃ１６に記載の方法。
［Ｃ１８］
送信時間間隔（ＴＴＩ）中の送信のための第１のコードブロッククラスタ（ＣＢＣ）の冗長バージョンを識別するための手段と、
前記ＴＴＩ中の送信のための第２のＣＢＣのバージョンを識別するための手段と、
前記ＴＴＩ中に前記第１のＣＢＣの前記冗長バージョンと前記第２のＣＢＣの前記バージョンとを備えるトランスポートブロックを送信するための手段と
を備える、ワイヤレスデバイスにおける通信のための装置。
［Ｃ１９］
前記ＴＴＩ中に送信される前記第２のＣＢＣの前記バージョンは、前記第２のＣＢＣの冗長バージョンまたは新規バージョンを備える、
Ｃ１８に記載の装置。
［Ｃ２０］
冗長バージョンセグメントのセットに少なくとも部分的に基づいて前記トランスポートブロックを構成するための手段をさらに備え、前記セットの各冗長バージョンセグメントは、同じ冗長バージョンを有するＣＢＣのサブセットを備える、
Ｃ１８に記載の装置。
［Ｃ２１］
どの冗長バージョンセグメントが前記トランスポートブロック中に含まれるのかのインジケーションを備える前記ＴＴＩのための制御メッセージを送信するための手段をさらに備える、
Ｃ２０に記載の装置。
［Ｃ２２］
前記ＴＴＩのための前記制御メッセージは、前記トランスポートブロック中に含まれる各ＣＢＣに関連する冗長バージョンのインジケーションを備える、
Ｃ２１に記載の装置。
［Ｃ２３］
前記インジケーションは、冗長バージョンセグメントの組合せに対応する４ビットを備える、
Ｃ２１に記載の装置。
［Ｃ２４］
前記制御メッセージは、肯定応答（ＡＣＫ）／否定応答（ＮＡＣＫ）失敗インジケータをさらに備える、
Ｃ２１に記載の装置。
［Ｃ２５］
ＡＣＫまたはＮＡＣＫが、送信されたＣＢＣについて受信されたかどうかを決定するための手段をさらに備え、前記ＡＣＫ／ＮＡＣＫ失敗インジケータは、前記ＡＣＫまたはＮＡＣＫが受信されたかどうかの前記決定に少なくとも部分的に基づく、
Ｃ２４に記載の装置。
［Ｃ２６］
送信されたＣＢＣのセットに対応するハイブリッド自動再送要求（ＨＡＲＱ）状態を記憶するための手段をさらに備える、
Ｃ１８に記載の装置。
［Ｃ２７］
送信時間間隔（ＴＴＩ）中の受信のための第１のコードブロッククラスタ（ＣＢＣ）の冗長バージョンを識別するための手段と、
前記ＴＴＩ中の受信のための第２のＣＢＣのバージョンを識別するための手段と、
前記ＴＴＩ中に前記第１のＣＢＣの前記冗長バージョンと前記第２のＣＢＣの前記バージョンとを備えるトランスポートブロックを受信するための手段と
を備える、ワイヤレスデバイスにおける通信のための装置。
［Ｃ２８］
前記ＴＴＩ中に送信される前記第２のＣＢＣの前記バージョンは、前記第２のＣＢＣの冗長バージョンまたは新規バージョンを備える、
Ｃ２７に記載の装置。
［Ｃ２９］
前記トランスポートブロックは、冗長バージョンセグメントのセットに少なくとも部分的に基づき、前記セットの各冗長バージョンセグメントは、同じ冗長バージョンを有する１つまたは複数のＣＢＣを備える、
Ｃ２７に記載の装置。
［Ｃ３０］
どの冗長バージョンセグメントが前記トランスポートブロック中に含まれるのかのインジケーションを備える前記ＴＴＩのための制御メッセージを受信するための手段をさらに備える、
Ｃ２９に記載の装置。